(57)【特許請求の範囲】
【請求項１】
ウエスト周り開口域及び一対の脚周り開口域を有するパンツ型吸収性物品において、
物品の最外面をなす外層シート及び該外層シートのすぐ内側に配された内層シートが、物品の少なくとも腹側部における各脚周り開口域の端縁において肌対向面側に一緒に折り返され、折り返された該内層シート及び該外層シートと、これらに対向する該内層シート及び該外層シートとが、脚周りに延びるように形成された線状接合部において接合されることで、脚周りに延びるスリーブ部が形成されており、
前記スリーブ部内において、前記内層シートの折り返された部位とそれに対向する該内層シートとの間に、脚周りに延びる多条の弾性ストランドが挟持固定されて弾性伸縮性のレッグバンドが形成されており、
前記内層シートの折り返された部位と、前記外層シートの折り返された部位とが接合状態になっているパンツ型吸収性物品。
【請求項２】
前記線状接合部が融着によって形成されている請求項１に記載のパンツ型吸収性物品。
【請求項３】
前記線状接合部に弾性ストランドが伸長状態で配されている請求項１又は２に記載のパンツ型吸収性物品。
【請求項４】
前記線状接合部の前記弾性ストランドの収縮力が、前記レッグバンドの収縮力よりも大きくなっている請求項３に記載のパンツ型吸収性物品。
【発明の詳細な説明】
【技術分野】
【０００１】
本発明は、パンツ型使い捨ておむつなどのパンツ型吸収性物品に関する。
【背景技術】
【０００２】
使い捨ておむつのウエスト周り開口域に形成されたギャザーによって生じるざらざらした肌触りやそれに起因する肌痛めを防止するための技術が知られている。例えば特許文献１には、ギャザーを構成する弾性部材に並行して周り方向へ延びる被覆手段を設けた使い捨ておむつが記載されている。ギャザーを覆う部位は、例えば同文献の図３に示されるように、不透液性外面シートによって形成されている。この外面シートは、ウエスト周り開口域の端縁でおむつ外側へ折曲されて、ギャザーを構成する糸ゴムよりも下方の位置で外面シートに接合されている。外面シートはさらに、上方へ向けて折曲されてウエスト周り開口域の端縁を超えておむつ内側にまで延びている。そして、延びた先端部が糸ゴムよりも下方の位置で透液性内面シートに接合している。不透液性外面シートからなるギャザー被覆部位は、おむつの内外においてギャザーを覆い、ウエスト周り開口域の外面シートとの間に空隙を形成している。さらに、透液性内面シートとの間にも空隙を形成している。このギャザー被覆部位によって、ギャザーの肌触りの悪さをおむつの内外で解消することができると、特許文献１には記載されている。
【０００３】
しかし、特許文献１に記載のおむつの構成では、ギャザー被覆部位が伸縮性を有していないので、ギャザーに形成された細かな皺の状態が、ギャザー被覆部位の表面に反映されやすい。また、おむつの収縮時に、ギャザー被覆部位にも皺が発生してしまい、ギャザーの肌触りが悪くなるとともに、布地の下着様のすっきりとした外観となりにくい。また、同文献に記載のおむつが、同文献の図３の構造を有する場合、ギャザー被覆部位では、皺が発生した外面シートの上から別の凹凸ギャザーにより肌を押さえつけるので、着用者に不快感や違和感を与え、また、かゆみなどを与えることがある。さらに、同文献に記載の発明は、おむつのウエスト周り開口域に形成されたギャザーに関してのものであり、足回り開口域についての検討は何らなされていない。
【０００４】
【特許文献１】特開平１０−２５８０８２号公報
【発明の開示】
【発明が解決しようとする課題】
【０００５】
本発明の目的は、前述した従来技術が有する欠点を解消し得るパンツ型吸収性物品を提供することにある。
【課題を解決するための手段】
【０００６】
本発明は、ウエスト周り開口域及び一対の脚周り開口域を有するパンツ型吸収性物品において、
物品の最外面をなす外層シートが、物品の少なくとも腹側部における各脚周り開口域の端縁において肌対向面側に折り返され、折り返された部位とこれに対向する該外層シートとが、脚周りに延びるように形成された線状接合部において接合されることで、脚周りに延びるスリーブ部が形成されており、
前記スリーブ部内に、脚周りに延びる弾性伸縮性のレッグバンドが配されているパンツ型吸収性物品を提供するものである。
【発明の効果】
【０００７】
本発明によれば、少なくとも腹側部における各脚周り開口域の縁部域が、伸縮性を有する外層シートからなるスリーブ部から構成されているので、該縁部域が布地の下着様のすっきりとした外観を呈する。特に、スリーブ部に配されたレッグバンドが、その肌対向面側のみにおいてスリーブ部の内面と接合されている場合には、スリーブ部とレッグバンドとの一体性が保たれつつ、該縁部域にひだ寄せが発生しづらくなる。また、着用中において、皺による肌への違和感・不快感を改善することができる。
【発明を実施するための最良の形態】
【０００８】
以下本発明を、その好ましい実施形態に基づき図面を参照しながら説明する。図１には、本発明のパンツ型吸収性物品の一実施形態としてのパンツ型使い捨ておむつ１０が示されている。    図２は、図１に示すおむつをその左右のサイドシール部で切り開き、肌対向面側からみた平面図である。図３は、図２における分解斜視図である。
【０００９】
図１ないし図３に示すように、本実施形態のおむつ１０は、実質的に縦長の吸収性本体２０と、外包材３０Ａ，３０Ｂとを備えている。図４に示すように、吸収性本体２０は、液透過性の表面シート２１、液不透過性又は撥水性の裏面シート２２及び両シート２１、２２間に介在配置された液保持性の吸収性コア２３を有している。表面シート２１は、おむつ１０の着用状態において着用者の肌側を向く。裏面シート２２は、おむつ１０の着用状態において外方を向く。
【００１０】
表面シート２１、裏面シート２２及び吸収性コア２３はそれぞれ矩形状であり、一体化されて縦長の吸収性本体２０を形成している。表面シート２１、裏面シート２２及び吸収性コア２３としては、それぞれ、従来この種のおむつに用いられているものと同様のものを用いることができる。例えば、吸収性コア２３としては、高吸収性ポリマーの粒子及び繊維材料から構成され、ティッシュペーパ（図示せず）によって被覆されているものを用いることができる。
【００１１】
吸収性本体２０の長手方向の左右両側には、図４に示すように、液抵抗性ないし撥水性でかつ通気性の素材から構成された側方カフス２４、２４が形成されている。各側方カフス２４の自由端部の近傍には、側方カフス弾性部材２５が伸長状態で配されている。これにより、図１のように組み立てられたおむつ１０の着用状態においては、側方カフス弾性部材２５が収縮することにより側方カフス２４が起立して、吸収性本体２０の幅方向外方への液の流出が阻止される。図４に示すように、側方カフス２４の形成用のシート材は、吸収性本体２０の幅方向外側の所定幅の部分が、吸収性コア２３と裏面シート２２との間に巻き下げられて、吸収性コア２３と裏面シート２２とによって挟持固定されている。
【００１２】
図３に示すように、外包材は、吸収性本体２０の裏面シート２２側に接合されている。外包材は、吸収性本体２０における長手方向の一方の端部側に位置する腹側部Ａに配置された腹側外包材３０Ａと、長手方向の他方の端部側に位置する背側部Ｂに配置された背側外包材３０Ｂとの二部材からなる。腹側外包材３０Ａ及び背側外包材３０Ｂは、おむつ１０の前身頃及び後身頃に略対応する形状をしている。吸収性本体２０における腹側部Ａと背側部Ｂとの間、即ち長手方向中央部には股下部Ｃが位置している。腹側外包材３０Ａの両側縁部Ａ１，Ａ２と、背側外包材３０Ｂ両側縁部Ｂ１，Ｂ２とは互いに接合され、おむつ１０の左右両側縁には一対のサイドシール部Ｓ，Ｓが形成される。これによって、図１に示すように、おむつ１０はパンツ型となり、ウエスト周り開口域１１及び一対の脚周り開口域１２が形成される。これらの接合には、例えばヒートシール、高周波シール、超音波シール等が用いられる。
【００１３】
外包材３０Ａ，３０Ｂは、２枚のシートの積層体から構成されている。２枚のシートは、おむつ１０の最外面をなす外層シート３１と、該外層シート３１のすぐ内側に位置する内層シート３２からなる。外層シート３１は、おむつ１０の最外面をなすものであるから、その素材としては肌触りの良好なものが用いられる。そのような素材としては例えば各種不織布等が挙げられる。内層シート３２としても不織布を用いることが好ましい。
【００１４】
外包材３０Ａ，３０Ｂにおける外層シート３１としては、少なくとも脚周り方向へ伸縮性を有するものが用いられる。一方内層シート３２としては非伸縮性シートが用いられる。外層シート３１の「伸縮性」とは、少なくとも１方向の最大伸度が５０％以上である伸長性シート（長さが１．５倍以上に伸びるシート）を、最大伸度が５０％以上である１方向に伸度５０％迄伸長させた後、収縮させたときの伸長回復率（５０％伸長時の伸長回復率）が、少なくとも７０％以上であることを意味する。最大伸度が５０％以上である方向を複数有する伸縮性シートの場合、そのうちのいずれか１方向のみにおいて伸長回復率が７０％以上であればよい。
【００１５】
外層シート３１を形成する伸縮性シートとしては、伸縮性を有する各種のシートを用いることができる。例えば、外層シート３１は、通気性を良好にする観点から、熱可塑性繊維からなる不織布から形成されているものが好ましい。また、外層シート１２は、風合いを良好にする観点から、積層シートからなり、少なくともその非肌当接面側の層がエアスルー不織布から形成されているものも好ましい。そのような伸縮性シートとしては、例えば本出願人の先の出願に係る２００７−１５４４００号公報に記載のもの等が挙げられる。特に、この公報に記載されている、互いに噛み合う凹凸ロールを用いた噛み込みによって伸縮性を付与された伸縮性シートは、凹凸ロールに起因する規則的な縞模様が付与されているので、該伸縮性シートを外層シートとして用いると、本実施形態のおむつの外観の向上に寄与するので好ましい。前記の凹凸ロールとしては、例えばロールの軸方向に延びる直線状の凹部及び凸部が、ロールの回転方向に沿って交互に配置されたものや、前記の公報の図２に示されているものを用いることができる。前記公報に記載されている伸縮性シートにおける縞模様は、該伸縮性シートに、それぞれ一方向に延びる直線状の凹部及び凸部が交互に配置されて形成されたものである。該凹部は、前記の凹凸ロールの噛み込みによってシートが圧密化されて形成されたものである。
【００１６】
図５に示すように、外包材３０Ａ，３０Ｂは、吸収性本体２０の前後の端縁からそれぞれ延出し、延出した部分が吸収性本体２０側にそれぞれ折り返されている。外包材３０Ａ，３０Ｂの折り返し位置Ｆは、後述する複数のウエスト弾性部材４１のうち、最も外方寄り（端部寄り）の部材の配置位置よりも外方（吸収性本体２０の長手方向外方）である。外包材３０Ａ，３０Ｂの折り返し部は、吸収性本体２０の前後端縁をそれぞれ跨ぐ長さを有し、該吸収性本体２０の肌対向面にそれぞれ接合されている。具体的には、外包材３０Ａ，３０Ｂの折り返し部は、吸収性本体２０の長手方向における前後の端部域と重なる部分が、吸収性本体２０の略全幅にわたって接着剤（図示せず）を介して接着されている。これにより、吸収性本体２０の長手方向における前後の端部域が、外包材３０Ａ，３０Ｂに固定されている。このような構成とすることで、吸収性本体２０の前後の端部域が着用者に直接接触することが防止される。また吸収性コア２３に含まれる吸水性ポリマーが、吸収性本体２０の前後の端部域から脱落することが防止される。
【００１７】
吸収性本体２０の前後の端縁から延出した外包材３０Ａ，３０Ｂにおいては、図５に示すように、外層シート３１と内層シート３２との間に、多条のウエスト弾性部材４１が伸長状態で配されている。ウエスト弾性部材４１は、ウエスト周り方向へ延びるように配されており、接着剤(図示せず）によって両シート３１，３２間に挟持固定されている。これによって、ウエスト周り開口域１１の端部域４０には、ウエスト周り方向へ弾性伸縮性が付与されて、ウエストギャザーが形成される。ウエスト弾性部材４１としては、例えば天然ゴム、ポリウレタン系樹脂、発泡ウレタン系樹脂、ホットメルト系伸縮部材等の伸縮性素材をストランド状又は帯状に形成したものが好ましく用いられる。
【００１８】
腹側部Ａ及び背側部Ｂのそれぞれにおいては、外包材３０Ａ，３０Ｂを構成する外層シート３１と内層シート３２との間は、サイドシール部Ａ１，Ａ２，Ｂ１，Ｂ２では上述のとおりヒートシール、高周波シール又は超音波シールにより互いに接合されている。また、ウエスト周り開口域１１の端部域４０及び脚周り開口域１２の端部域５０においては、ホットメルト型接着剤等の接着剤によって、外層シート３１と内層シート３２とは互いに接合されている。そして、腹側部Ａ及び背側部Ｂにおいては、これらの接合部を除く領域の大部分において、外層シート３１と内層シート３２とは接合されておらず、互いに離間した状態になっている。なお、脚周り開口域１２の端部域５０における外層シート３１と内層シート３２との接合状態については、その詳細を後述する。
【００１９】
このように、腹側部Ａ及び背側部Ｂにおける広い範囲において、外層シート３１と内層シート３２を離間させた構成とすることにより、接着剤の使用に起因して外包材３０Ａ，３０Ｂが硬くなる部分を最小限に抑えることができる。その結果、おむつ１０の外面や、外包材３０Ａ，３０Ｂの内面のうち、吸収性本体２０によって覆われていない部分を、柔らかで肌触りの良いものとすることができ、おむつ１０はその外観が布地の下着様となる。また、外層シート３１及び内層シート３２として、不織布などの通気性シートを用いる場合に、その通気性が良好に維持されるので、蒸れにくいおむつを提供することができる。
【００２０】
腹側部Ａ及び背側部Ｂそれぞれにおいて、外層シート３１と内層シート３２との間が離間している部分の面積は、腹側部Ａ及び背側部Ｂの外層シート３１それぞれの面積に対して、６０％以上であることが好ましく、７０％以上であることがより好ましい。この数値を満たすものを上述の「大部分」というものとする。この値は、図２に示すようにおむつ１０をそのサイドシール部Ｓで切り開いて展開状態とし、ウエスト周り開口域及び脚周り開口域に配された弾性部材による収縮力を解除した自然状態（張力等の外力を作用させない状態）において測定した値に基づくものである。
【００２１】
図６は、図３におけるVI−VI線断面図、すなわち脚周り開口域１２の端部域５０の断面図である。同図に示すように、外包材３０Ａ，３０Ｂを構成する外層シート３１と内層シート３２とは、脚周り開口域の端縁Ｔにおいて肌対向面側に一緒に折り返されて、外包材折り返し部６０Ａ，６０Ｂを形成している。外包材折り返し部６０Ａ，６０Ｂを形成している内層シート３２’及び外層シート３１’は、これらに対向する内層シート３２及び外層シート３１と線状接合部４２において接合されている。線状接合部４２は、図１に示すように脚周りに延びるように形成されている。この線状接合部４２による接合で、脚周り開口域の端部域５０には、外層シート３１によって形成された筒状のスリーブ部４３が形成される。スリーブ部４３は、脚周りに延びるように形成されている。スリーブ部４３は、布地の下着の脚周り開口域に形成されているゴムの挿通部と同様の機能を有するものである。線状接合部４２は、例えば融着や接着などの接合手段によって形成されている。線状接合部４２は、連続的に形成されていてもよく、あるいは間欠的に形成されていてもよい。間欠的に形成されている場合、例えば、接合点がドット状や破線状になっており、該接合点が脚周りに延びるように配置されていてもよい。
【００２２】
前記のスリーブ部４３内においては、外包材折り返し部６０Ａ，６０Ｂを構成する内層シート３２’と、それに対向する内層シート３２との間に、脚周りに延びる多条の弾性ストランド（レッグ弾性部材）５１が、接着剤によって伸長状態で挟持固定されている。弾性ストランド５１は、脚周りに延びている。そして、両内層シート３２，３２’によって挟持固定された弾性ストランド５１によって、スリーブ部４３内には、所定幅を有する弾性伸縮性のレッグバンド４４が形成される。レッグバンド４４は、所定幅を有する帯状の弾性伸縮部材として機能するものである。したがって、各弾性ストランド５１は、それらが全体として一体的な帯状の弾性伸縮部材として機能する必要がある。この観点から、各弾性ストランド５１を密に配することが好ましく、具体的には各弾性ストランド５１間の距離は１〜１０ｍｍ、特に２〜７ｍｍであることが好ましい。またレッグバンド４４の幅（図６に示す上下方向の長さ）は、最も上側に位置する弾性ストランド５１と、最も下側に位置する弾性ストランド５１との間の距離で表して５〜７０ｍｍ、特に１０〜４０ｍｍであることが好ましい。
【００２３】
スリーブ部４３内において、レッグバンド４４は、その一面がおむつ１０の肌対向面側を向き、かつ他面がおむつ１０の外方を向くように配されている。さらに、レッグバンド４４は、その肌対向面側がスリーブ部４３の内面と接合状態になっている。つまり、スリーブ部４３において、外包材折り返し部６０Ａ，６０Ｂを構成する内層シート３２’と外層シート３１’とが、両者の対向面において接合状態になっている。内層シート３２’と外層シート３１’との接合は、両者の対向面の全域において行われていてもよい。また、両者はそれらの対向面において、間欠的に複数の位置で接合されていてもよい。いずれの場合においても、接合には例えば、図６に示すように接着剤４５が用いられる。さらに、脚周りの全周において連続的に行われていてもよく、あるいは脚周りの全周において間欠的に行われていてもよい。
【００２４】
内層シート３２’と外層シート３１’との接合が、両者の対向面の全域において行われている場合、その接合には、例えばホットメルト接着剤を前記の対向面の全域に塗布する方法が用いられる。使用するホットメルト接着剤の量は、肌触りや外観の向上の観点、レッグバンド４４の伸縮応答性の向上の観点から少ない方が好ましく、具体的には１〜１０ｇ／ｍ2が好ましい。
【００２５】
内層シート３２’と外層シート３１’との接合が、両者の対向面において、間欠的に複数の位置で行われていることも、肌触りや外観の向上の観点、レッグバンド４４の伸縮応答性の向上の観点から好ましい。この場合、両者の接合は、例えば幅０．５〜５ｍｍ程度の連続した複数の線状の接着線や複数の波線状の接着線によって行われる。接合面積の割合は、前記の対向面の面積に対して２０〜６０％であることが好ましい。例えば、前記の対向面の幅が２０ｍｍである場合に、幅１ｍｍの連続した線状の接着部を３ｍｍ間隔で配した場合、接合面積の割合は２５％となる。また、レッグバンド４４における、脚周り開口域の端縁Ｔ側の端部を始点として、該端部から５ｍｍ程度の内側までの領域に、接着剤を施さないことが好ましい。これによって、脚周り開口域の端縁Ｔに近い部位が硬くならず、感触の悪化を防げることができる。
【００２６】
レッグバンド４４は、その肌対向面側と異なり、その外面側はスリーブ部４３の内面と非接合状態になっている。換言すれば、脚周り開口域における端部域５０においては、外層シート３１と内層シート３２とは非接合状態になっている。
【００２７】
レッグバンド４４を構成する弾性ストランド５１が伸長状態で内層シート３２，３２’に挟持固定されていることは上述のとおりであるところ、スリーブ部４３を構成する外層３１は、その伸長状態下に、同様に伸長状態下にあるレッグバンド４４に接合されている。スリーブ部４３を構成する外層シート３１は脚周り方向へ伸縮性を有しているので、スリーブ部４３及びレッグバンド４４をともに伸長状態下に接合することで、これらが収縮したときには、レッグバンド４４にはひだ寄せが発生するが、スリーブ部４３にはひだ寄せが発生しない。また、ひだ寄せが僅かに発生したとしても視認されにくいので、おむつの外観をきれいに保つことができる。特に、外層シート３１として、先に述べた特開２００７−１５４４００号公報に記載の、凹凸ロールの噛み込み加工が施され、規則的な縦縞が形成されたものを用い、かつ該縦縞がおむつの長手方向に一致するように該外層シート３１を配すると、該縦縞の向きとひだの向きが同じ方向になるので、ひだの視認性が緩和され、おむつの外観を更にきれいに保つことができる。
【００２８】
なお、レッグバンド４４のうち、吸収性本体２０と重なる領域においては、該レッグバンド４４の弾性伸縮性が、該レッグバンド４４と吸収性本体２０との接合に起因して発現しないようになっている。
【００２９】
脚周り開口域における端部域５０が以上のとおりの構成となっていることで、本実施形態におむつ１０においては以下の有利な効果が奏される。
（イ）レッグバンド４４の外面側がスリーブ部４３の内面と非接合状態になっているので、レッグバンド４４の収縮に起因して生じるしわ寄せの状態が、スリーブ部４３の表面に反映されづらくなり、端部域５０が、布地の下着様のすっきりとした外観となり、おむつ１０の見た目が向上する。
（ロ）端部域５０の上端に形成された線状接合部４２が、視覚的に、スリーブ部４３と、それよりも上部の部位との境界線となり、おむつ１０が一層布地の下着様の外観となる。また、線状接合部４２が、スリーブ部４３の屈曲の作用支点となり、足回り開口域１２の縁部域５０を広げるときにスリーブ部４３がおむつ１０の外方へ傾斜しやすくなるので、該縁部域５０を広げやすくなる。
（ハ）外層シート３１が伸縮性シートであり、内層シート３２（ギャザーを構成するシート）が伸縮性でない一般の不織布で構成されている場合、おむつの着用時におむつを引き上げようとすると、おむつの縦方向へ引っ張る力がかかるため、それぞれの素材がその方向に伸びようとする。その際、内層シート３２（ギャザーを構成するシート）と外層シート３１（伸縮性シート）のおむつ縦方向の素材の伸びが異なるために、両者を接合していないと、脚周り開口域１２の一体性が保ちにくくなり、外観も悪くなる。特におむつの肌対向面側においては、着用状態において肌への違和感を与えてしまう。また、着用状態における強度低下に対する不安なども感じてしまい、快適な着用ができない。これに対して本実施形態の構成では、外層シート３１と内層シート３２をおむつの肌対向面側で接合していることに起因して、両者の一体性が保たれる。その結果、おむつの外観が良好になり、着用状態における違和感がなくなり、かつ強度低下に対する安心感を得ることができる。
（ニ）レッグバンド４４が幅広な帯状の部材からなるので、縁部域５０が広げやすくなる。したがって、おむつ１０を装着するとき及び脱がせるときのおむつ１０の上げ下げが容易になる。
【００３０】
次に、本発明の第２及び第３の実施形態を図７及び図８を参照しながら説明する。これらの実施形態に関し特に説明しない点については、先に詳述した実施形態に関する説明が適宜適用される。また、図７及び図８において、図１ないし図６と同じ部材には同じ符号を付してある。
【００３１】
図７に示す実施形態が、先に説明した実施形態と相違する点は、線状接合部４２の構造である。先に説明した実施形態においては、線状接合部４２は、外層シート３１と内層シート３２との接合によって形成されていた。これに対して本実施形態においては、線状接合部４２が、外層シート３１と内層シート３２との接合によって形成されていることに加え、該線状接合部４２に弾性ストランド４６が伸長状態で配されている。弾性ストランド４６は、線状接合部４２の形成位置と同位置に配されている。本実施形態によれば、弾性ストランド４６の収縮作用によって、線状接合部４２が、スリーブ部４３と、それよりも上部の部位との境界線として一層明瞭になり、おむつ１０の外観が、布地の下着に更に一層近くなる。弾性ストランド４６はおむつの幅方向にわたり、外層シート３１及び／又は内層シート３２に、連続に又は間欠的に接合されていてもよい。弾性ストランド４６を間欠的に接合する手段としては、例えばホットメルト粘着剤を間欠パターン（例えばスパイラル状パターンやオメガ字状パターン）で吐出可能な装置を用い、該弾性ストランド４６にホットメルト粘着剤を塗布する手段が挙げられる。
【００３２】
また本実施形態によれば、弾性ストランド４６の収縮作用によって、スリーブ部４３がおむつ１０の外方へ傾斜しやすくなる。この傾斜を一層容易に生じさせる観点から、弾性ストランド４６の収縮力は、レッグバンド４４の収縮力よりも大きくなっていることが好ましい。詳細には、弾性ストランド４６の収縮力は、レッグバンド４４の収縮力の１．０２〜２．０倍、特に１．０５〜１．５倍であることが好ましい。弾性ストランド４６及びレッグバンド４４の収縮力は、以下の方法で測定される。
【００３３】
＜収縮力の測定方法＞
弾性ストランド及びレッグバンド４４を、おむつ１０から切り出す。切り出されたサンプルの自然状態での長さＬ１及び最大に伸長させたときの長さＬ２を測定する。そして収縮力を（Ｌ２／Ｌ１−１）×１００から算出する。
【００３４】
図８に示す実施形態においては、外包材３０Ａ，３０Ｂを構成する内層シート３２は、線状接合部４２の手前の位置で終端している。一層、外層シート３１は線状接合部４２を越えて伸び、脚周り開口域の端縁Ｔにおいて肌対向面側に折り返されて、外包材折り返し部６０Ａ，６０Ｂを形成している。外包材折り返し部６０Ａ，６０Ｂの端縁は線状接合部４２の端縁を越えて延び、対向する内層シート３２に接合している。外包材折り返し部６０Ａ，６０Ｂを形成している外層シート３１’は、これに対向する外層シート３１と線状接合部４２において接合されている。この線状接合部４２による接合で、脚周り開口域１２の端部域５０には、外層シート３１によって形成されたスリーブ部４３が形成される。
【００３５】
スリーブ部４３内には、レッグバンド４４が配されている。レッグバンド４４は、第１の帯状シート６１及び第２の帯状シート６２からなる２枚の帯状シートと、それらのシート６１，６２の延びる方向に延びる多条の弾性ストランド４１とからなり、両シート６１，６２間に弾性ストランド４１が挟持固定されて形成されている。このレッグバンド４４における弾性ストランド４１間の距離や、レッグバンド４４の幅は、先に説明した実施形態と同様である。レッグバンド４４は、その肌対向面側がスリーブ部４３の内面と接着剤４５によって接合状態になっている。つまり、レッグバンド４４の肌対向面側であるシート６１の外面が、外包材折り返し部３０Ａ，３０Ｂを構成する外層シート３１’と接合状態になっている。このとき、外層シートは、その伸長状態下に、伸長状態にあるレッグバンド４４と接合している。
【００３６】
図８に示すように、線状接合部４２においては、外層シート３１と、外包材折り返し部６０Ａ，６０Ｂを構成する外層シート３１’とが接合されていることに加え、該線状接合部４２に弾性ストランド４７が伸長状態で配されている。弾性ストランド４６は、線状接合部４２の形成位置と同位置に配されている。この構成は、図７に示す実施形態と同様である。
【００３７】
本実施形態によれば、図１ないし図６に示す実施形態によって奏される効果、及び図７に示す実施形態によって奏される効果が奏される。
【００３８】
以上、本発明をその好ましい実施形態に基づき説明したが、本発明は前記実施形態に制限されない。例えば前記の各実施形態においては、レッグバンド４４を構成する弾性部材として弾性ストランド４１を複数本用いたが、これに代えて、帯状の弾性体を１本用いてもよい。
【００３９】
また、前記の各実施形態においては、おむつ１０の腹側部Ａ及び背側部Ｂの双方での脚周り開口域１１の端部域５０が上述の構造をしていたが、これに代えて、少なくとも腹側部Ａのみにおける端部域５０が上述の構造をしていてもよい。
【００４０】
また前記の各実施形態においては、レッグバンド４４は、その肌対向面側がスリーブ部４３の内面と接合状態になっているとともに、その外面側はスリーブ部４３の内面と非接合状態になっていたが、これに代えて、レッグバンド４４はその肌対向面側及び外面側のいずれもが、スリーブ部４３の内面と非接合状態になっていてもよい。
【００４１】
また前記の各実施形態においては、外層シート３１として、少なくとも脚周り方向へ伸縮性を有するものを用いたが、これに代えて、非伸縮性のシートを外層シートとして用いてもよい。
【００４２】
また前記実施形態は、本発明をトランクスタイプのパンツ型使い捨ておむつに適用した例であるが、本発明を他のタイプのパンツ型吸収性物品に適用することもできる。例えばヒップハングタイプ、ショートパンツタイプ、ボクサータイプのパンツ型吸収性物品に本発明を適用することができる。
【図面の簡単な説明】
【００４３】
【図１】本発明の一実施形態としてのパンツ型使い捨ておむつを示す斜視図である。
【図２】図１に示すおむつをその左右のサイドシール部で切り開き、肌対向面側からみた平面図である。
【図３】図２における分解斜視図である。
【図４】図３におけるIV−IV線断面図である。
【図５】図２におけるＶ−Ｖ線断面図である。
【図６】図３におけるVI−VI線断面図である。
【図７】本発明の第２の実施形態を示す脚周り開口域の断面構造を示す図（図６相当図である）。
【図８】本発明の第３の実施形態を示す脚周り開口域の断面構造を示す図（図６相当図である）。
【符号の説明】
【００４４】
１０  パンツ型使い捨ておむつ
１１  ウエスト周り開口域
１２  脚周り開口域
２０  吸収性本体
３０Ａ，３０Ｂ  外包材
３２  外層シート
３２  内層シート
４０  端部域
４１  弾性ストランド
４２  線状接合部
４３  スリーブ部
４４  レッグバンド
【図１】
0005055102.tif 000002
【図２】
0005055102.tif 000003
【図３】
0005055102.tif 000004
【図４】
0005055102.tif 000005
【図５】
0005055102.tif 000006
【図６】
0005055102.tif 000007
【図７】
0005055102.tif 000008
【図８】
0005055102.tif 000009